(57)【要約】【課題】光学シートの周縁部の一部を固定し、表示パネルをフラットに保つ。【解決手段】液晶表示装置１０は、光源と、前記光源からの光に光学作用を付与するシート本体部３４を有し、シート本体部３４の周縁部の一部から延びる形態で位置決め片３５Ｃが設けられた光学シート３３と、光学シート３３からの光を利用して表示を行う表示パネルと、シート本体部３４が配置されるシート配置部３６が設けられた支持部材であって、シート配置部３６の外周に配されて表示パネルが配置されるパネル配置部３７が設けられた支持部材と、を備え、パネル配置部３７は、位置決め片３５を挿通させる挿通部３７Ａを備えており、位置決め片３５は、挿通部３７Ａに配置される幅狭部３５Ａと、幅狭部３５Ａよりも幅広で支持部材に固定された幅広部３５Ｂとを備えている。【選択図】図７
2019159072.tif 000002
【特許請求の範囲】
【請求項１】
光源と、
前記光源からの光に光学作用を付与するシート本体部を有し、前記シート本体部の周縁部の一部から延びる形態で位置決め片が設けられた光学シートと、
前記光学シートからの光によって表示を行う表示パネルと、
前記シート本体部が配置されるシート配置部が設けられた支持部材であって、前記シート配置部の外周に配されて前記表示パネルが配置されるパネル配置部が設けられた支持部材と、を備え、
前記パネル配置部は、前記位置決め片を挿通させる挿通部を備えており、
前記位置決め片は、前記挿通部に配置される幅狭部と、前記幅狭部よりも幅広で前記支持部材に固定された幅広部と、を備えている表示装置。
【請求項２】
前記幅広部は、前記挿通部よりも幅広である請求項１に記載の表示装置。
【請求項３】
前記パネル配置部は前記支持部材の周縁部に沿って延びる形態とされており、
前記幅狭部は前記シート本体部と同一平面をなすように配置され、前記幅広部は前記幅狭部に対して交差する配置とされている請求項１または請求項２に記載の表示装置。
【請求項４】
前記幅広部は位置決め孔を有しており、前記支持部材は前記位置決め孔に貫通して配される位置決め突部を有している請求項１から請求項３のいずれか一項に記載の表示装置。
【請求項５】
前記位置決め突部は前記支持部材の側面に配置されている請求項４に記載の表示装置。
【請求項６】
前記位置決め孔は前記位置決め突部よりも大きい請求項４または請求項５に記載の表示装置。
【請求項７】
前記シート本体部の周縁部は、前記シート配置部と前記表示パネルの間に配置され、前記パネル配置部は、前記表示パネルを前記光学シートから離間させるようにして前記表示パネルの周縁部を支持する請求項１から請求項６のいずれか一項に記載の表示装置。
【請求項８】
前記表示パネルは、液晶を用いた液晶パネルである請求項１から請求項７のいずれか一項に記載の表示装置。
【請求項９】
請求項１から請求項８のいずれか一項に記載の表示装置を備えるテレビ受信装置。
【発明の詳細な説明】
【技術分野】
【０００１】
本発明は、表示装置およびテレビ受信装置に関する。
【背景技術】
【０００２】
従来、下記特許文献１に記載の液晶表示装置が知られている。この液晶表示装置は、液晶パネルユニットとバックライトユニットを、狭額縁化したベゼルとリヤケースに装着する構成になっている。バックライトユニットは、リヤシャーシに、反射シートと、導光板と、光学シート部と、が順に配置された構成となっている。光学シート部は、長尺状のシートに形成された複数の光学フィルムで構成されており、これらの光学フィルムのうち最前面に配置される第１の拡散シートは、シートの各辺の端部に形成された複数の係合片を有している。これらの係合片はバックライトユニットの背面に達する長さを有しており、これらの係合片の先端部はリヤシャーシの背面に両面粘着テープで取り付けられている。
【０００３】
このような構成によると、係合片をリヤシャーシの背面に接着することで、反射シートと導光板と光学シート部とからなるバックライトユニットを一体化することができる。このようにバックライトユニットを一体化することで、光学シート部のずれを防ぐことができるため、両面粘着テープによる液晶パネルユニットとの接着を必要としない。したがって、両面粘着テープで液晶パネルユニットと光学シート部の端部が遮光されることはなく、液晶パネルユニットの端部に非発光領域や発光むらが生じないため、狭額縁化が容易にできる。
【０００４】
上記のような光学シート部を備えるバックライトユニットでは、光学シート部の周縁部の短辺もしくは長辺を全長に亘って折り曲げなければ成立しないものとされている。一方、このような折り曲げ構造に代えて、光学シートの周縁部の一部から延びる形態で設けられた位置決め片をピン状の固定リブによって支持する構成が知られている。固定リブは、表示パネルが配置される支持部材の一部を切り欠くことで切り欠きを設け、この切り欠きの内部に位置して設けられている。この固定リブを光学シートの周縁部に設けられた開口に挿入して引っ掛けることで、光学シートが固定リブによって固定される。
【先行技術文献】
【特許文献】
【０００５】
【特許文献１】特許第５７４７４２７号公報
【発明の概要】
【発明が解決しようとする課題】
【０００６】
しかしながら、切り欠きの内部の位置に固定リブを配置すると、少なくとも固定リブよりも大きな切り欠きが設けられることになり、切り欠きを設けた分だけパネル配置面が小さくなるため、切り欠きの位置で表示パネルが撓みやすくなり、表示パネルがフラットにならなくなる。
【０００７】
本発明は上記のような事情に基づいて完成されたものであって、光学シートの周縁部の一部を固定するとともに、表示パネルをフラットに保つことを目的とする。
【課題を解決するための手段】
【０００８】
本発明の表示装置は、光源と、前記光源からの光に光学作用を付与するシート本体部を有し、前記シート本体部の周縁部の一部から延びる形態で位置決め片が設けられた光学シートと、前記光学シートからの光によって表示を行う表示パネルと、前記シート本体部が配置されるシート配置部が設けられた支持部材であって、前記シート配置部の外周に配されて前記表示パネルが配置されるパネル配置部が設けられた支持部材と、を備え、前記パネル配置部は、前記位置決め片を挿通させる挿通部を備えており、前記位置決め片は、前記挿通部に配置される幅狭部と、前記幅狭部よりも幅広で前記支持部材に固定された幅広部と、を備えている。
【０００９】
このようにすれば、位置決め片の幅狭部をパネル配置部の挿通部に挿通させて幅広部を支持部材に固定することにより、光学シートの周縁部の一部を固定することができる。また、表示パネルをパネル配置部に配置した際に、挿通部の位置においては表示パネルが支持されなくなるものの、挿通部は位置決め片の幅狭部を挿通させるだけの最小限の大きさで済むから、挿通部を極力小さくすることができる。したがって、表示パネルが挿通部の位置で撓みにくくなり、表示パネルをフラットに保つことができる。
【発明の効果】
【００１０】
本発明によれば、光学シートの周縁部の一部を固定することができるとともに、表示パネルをフラットに保つことができる。
【図面の簡単な説明】
【００１１】
【図１】実施形態におけるテレビ受信装置の分解斜視図
【図２】シャーシの平面図
【図３】シャーシにフレームを配置した状態を示した平面図
【図４】フレームに光学シートを配置した状態を示した平面図
【図５】光学シートの位置決め片を折り曲げた状態を示した平面図
【図６】フレームに光学シートを配置した状態を示した断面図
【図７】光学シートの位置決め片を折り曲げた状態を示した断面図
【図８】フレームに液晶パネルを配置してベゼルを取り付けた状態を示した断面図
【発明を実施するための形態】
【００１２】
＜実施形態＞
実施形態を図１から図８の図面を参照しながら説明する。本実施形態のテレビ受信装置１０ＴＶは、液晶表示装置（表示装置の一例）１０と、当該液晶表示装置１０を挟むようにして収容する表裏両キャビネット１０Ｃａ、１０Ｃｂと、電源１０Ｐと、チューナー１０Ｔと、を備えている。なお、各図面の一部にはＸ軸、Ｙ軸、およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とし、図６ないし図８においては、上側を液晶表示装置１０の表側、下側を液晶表示装置１０の裏側とする。
【００１３】
テレビ受信装置１０ＴＶは、全体として横長の方形をなしており、表示パネルである液晶パネル２０と、外部光源であるバックライト装置３０と、を備え、これらが枠状をなすベゼル４０などにより一体的に保持されるようになっている。液晶表示装置１０において液晶パネル２０は、画像を表示可能な表示面が表側を向いた姿勢で組み付けられている。なお、テレビ受信装置１０ＴＶは、図１に示す向きに限定されず、様々な向きで配置されて使用される。
【００１４】
ベゼル４０は、ステンレス等の剛性に優れた金属製とされており、図８に示すように、液晶パネル２０に並行するとともに平面視において略枠状の板面をなすベゼル本体４１と、ベゼル本体４１の外周端部から裏側に向けて延びるとともに略筒状をなす筒状部４２とからなる。ベゼル本体４１は、液晶パネル２０の表示面の周縁部２１に沿って延在しており、周縁部２１を表側から押さえることで液晶パネル２０を保持するものとされる。このため、ベゼル本体４１は、液晶表示装置１０の表側の外観を構成するものとされる。
【００１５】
続いて、液晶パネル２０について説明する。液晶パネル２０は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色）、Ｇ（緑色）、Ｂ（青色）等の各着色部が所定配列で配置されたカラーフィルタや対向電極、さらには配向膜等が設けられている。このうち、ソース配線、ゲート配線、および対向電極などには、図示しない駆動回路基板から画像を表示するのに必要な画像データや各種制御信号が供給されるようになっている。なお、両ガラス基板の外側には偏光板（図示しない）が配されている。
【００１６】
続いてバックライト装置３０の構成について説明する。バックライト装置３０は、図８に示すように、表側（光出射側、液晶パネル２０側）に向けて開口する略箱形をなすシャーシ３１と、シャーシ３１の表側に配されたフレーム３２と、フレーム３２の開口を覆うようにして配される光学シート３３と、を備える。さらに、シャーシ３１内には、ＬＥＤユニット５０と、ＬＥＤユニット５０からの光を光学シート３３へと導光する導光板６０と、が収容されている。液晶パネル２０は光学シート３３と離間して配されている。
【００１７】
シャーシ３１内において導光板６０の長辺側の側面（光入射面）６１はＬＥＤユニット５０と対向する位置に配されており、当該ＬＥＤユニット５０から出射される光を導光板６０によって液晶パネル２０側へ導く。そして、この導光板６０の表側に導光板６０の表面（光出射面）６２から離間した配置で光学シート３３が設けられている。本実施形態に係るバックライト装置３０では、導光板６０および光学シート３３が液晶パネル２０の直下に配されているとともに光源であるＬＥＤユニット５０が導光板６０の側方に配されてなる、いわゆるエッジライト方式（サイドライト方式）を採用している。以下では、バックライト装置３０の各構成部品について詳しく説明する。
【００１８】
シャーシ３１は、例えばアルミニウム板や電気亜鉛めっき鋼板（ＳＥＣＣ）などの金属板からなり、図２および図８に示すように、液晶パネル２０と同様に横長の方形状をなす底板３１Ａと、底板３１Ａの両長辺の各外縁から立ち上がる一対の側板３１Ｂと、底板３１Ａの両短辺の各外縁から立ち上がる一対の側板３１Ｃと、から構成されている。シャーシ３１の底板３１Ａは、その長辺方向がＸ軸方向（水平方向）と一致し、その短辺方向がＹ軸方向（鉛直方向）と一致している。底板３１Ａは、シャーシ３１内に収容された導光板６０および反射シート７０に沿って延在するとともに、これらを裏側から支持している。底板３１Ａの裏側外部には、液晶パネル２０に駆動のための信号を供給する図示しないコントロール基板が取り付けられている。なお、底板３１Ａには、上記したコントロール基板と同様にして、ＬＥＤユニット５０に駆動電力を供給する図示しないＬＥＤ駆動基板などの他の基板類が取り付けられている。
【００１９】
ＬＥＤユニット５０は、樹脂製の矩形状をなすＬＥＤ基板５１に、ＬＥＤ５２が一列に並んだ構成となっている。ＬＥＤ基板５１は、図２に示すように、シャーシ３１の長辺方向（Ｘ軸方向）に沿って延在する細長い板状をなすとともに、その板面をＸ軸方向およびＺ軸方向に並行した姿勢、つまり液晶パネル２０および導光板６０の板面と直交させた姿勢でシャーシ３１内に収容されている。ＬＥＤ基板５１は、導光板６０に対して所定の間隔を空けつつ導光板６０の長辺側の側面（光入射面）６１に隣り合う配置で設けられるとともに、シャーシ３１の長辺側の側板３１Ｂにおける内面に取り付けられている。ＬＥＤ基板５１のうち内側、つまり導光板６０側を向いた板面には、ＬＥＤ５２が表面実装されており、ここがＬＥＤ５２の実装面５３とされる。ＬＥＤ５２は、ＬＥＤ基板５１の実装面５３において、その長さ方向（Ｘ軸方向）に沿って複数が所定の間隔を空けつつ一列に（直線的に）配置されている。Ｘ軸方向について隣り合う一対のＬＥＤ５２間の間隔、つまりＬＥＤ５２の配列ピッチは、ほぼ等しいものとされている。
【００２０】
ＬＥＤ５２は、ＬＥＤ基板５１に固着される基板部上にＬＥＤチップ（図示せず）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、および赤色光を発光する赤色蛍光体の中から適宜組み合わせて用いたり、またはいずれか１つを単独で用いたりすることができる。このＬＥＤ５２は、ＬＥＤ基板５１に実装された面とは反対側の面が発光面となる、いわゆる頂面発光型とされている。
【００２１】
導光板６０は、屈折率が空気よりも十分に高くかつほぼ透明な（透光性に優れた）合成樹脂材料（例えばＰＭＭＡなどのアクリル樹脂やポリカーボネートなど）からなる。導光板６０は、図２に示すように、液晶パネル２０およびシャーシ３１と同様に平面視で横長の方形状をなすとともに光学シート３３よりも厚みが大きな板状をなしており、その板面における長辺方向がＸ軸方向と、短辺方向がＹ軸方向とそれぞれ一致し、かつ板面と直交する板厚方向がＺ軸方向と一致している。導光板６０は、図８に示すように、表面（光出射面）６２を光学シート３３側に向け、表面６２とは反対側の板面である裏面６３を反射シート７０側に向ける配置で設けられ、当該反射シート７０を介してシャーシ３１の底板３１Ａによって支持されている。すなわち、導光板６０は、ＬＥＤユニット５０との並び方向がＹ軸方向とされ、光学シート３３および反射シート７０との並び方向がＺ軸方向とされる。導光板６０は、ＬＥＤユニット５０からＹ軸方向に沿って発せられた光を長辺側の側面（光入射面）６１から導入するとともに、その光を内部で伝播させつつ光学シート３３側へ向くように立ち上げて表面（光出射面）６２から出射させる機能を有する。
【００２２】
反射シート７０は長方形のシート状をなし、合成樹脂製とされるとともにその表面が光反射性に優れた白色とされている。反射シート７０は、その長辺方向がＸ軸方向とされ、その短辺方向がＹ軸方向とされるとともに、導光板６０の裏面６３とシャーシ３１の底板３１Ａとの間に挟持された配置で設けられている。反射シート７０は、その表側に反射面７１を有しており、この反射面７１が導光板６０の裏面６３と当接している。そして、反射シート７０は、ＬＥＤユニット５０または導光板６０の裏面６３からその反射面７１側へ漏れた光を反射させることが可能になっている。
【００２３】
光学シート３３は可撓性を有しており、図４に示すように、液晶パネル２０およびシャーシ３１の底板３１Ａと同様に平面視で横長の方形状をなすシート本体部３４と、シート本体部３４の周縁部３４Ａの一部から外側に延出する複数の位置決め片３５と、を有している。シート本体部３４は、図８に示すように、導光板６０側から順に、拡散シート３３Ａ、レンズシート３３Ｂ、反射型偏光板３３Ｃが積層されたものである。以下においては、拡散シート３３Ａとレンズシート３３Ｂと反射型偏光板３３Ｃとを、まとめて３枚のシート状部材３３Ａ、３３Ｂ、３３Ｃという場合がある。
【００２４】
シート本体部３４は、液晶パネル２０と導光板６０との間に介在して配されることで、導光板６０からの出射光を透過するとともにその透過光に所定の光学作用を付与しつつ液晶パネル２０に向けて出射させる。シート本体部３４は、液晶パネル２０との間にわずかな隙間を空けた状態で離間して配されている。また、シート本体部３４は、その周縁部３４Ａが後述するフレーム３２のシート配置部３６の内縁に囲まれた開口よりも一回り大きいものとされ、その周縁部３４Ａがシート配置部３６上に支持されている。これにより、ＬＥＤユニット５０と導光板６０との間に形成された空間と、シート本体部３４の周縁部３４Ａと、の間はフレーム３２によって隔てられた構成となっている。シート本体部３４は、平面視における大きさが液晶パネル２０とほぼ等しい大きさとされている。
【００２５】
フレーム３２は、プラスチック等の合成樹脂製とされており、図４および図６に示すように、光学シート３３および導光板６０に並行するとともに平面視で横長の略枠状をなしている。フレーム３２は、一対の長辺側フレーム３２Ａと、一対の短辺側フレーム３２Ｂと、を備えて構成されている。長辺側フレーム３２Ａはフレーム３２の長辺側を構成し、短辺側フレーム３２Ｂはフレーム３２の短辺側を構成している。上側の長辺側フレーム３２Ａは、シャーシ３１の上側の側板３１Ｂに沿って配置され、下側の長辺側フレーム３２Ａは、シャーシ３１の下側の側板３１Ｂに沿って配置されている。また、各長辺側フレーム３２Ａは、導光板６０の外周縁部に沿って延在しており、その表側に配される光学シート３３のシート本体部３４における周縁部３４Ａを裏側から受ける（支持する）ことができる。つまり、各長辺側フレーム３２Ａは、シート本体部３４の周縁部３４Ａと導光板６０との間に介在する配置で設けられている。また、下側の長辺側フレーム３２Ａは、導光板６０の側面（光入射面）６１側の端部とＬＥＤユニット５０とを一括して表側から覆うものとされる。
【００２６】
フレーム３２は、図６に示すように、シート本体部３４が表面に配置されるシート配置部３６を有し、シート配置部３６の外周縁部には、シャーシ３１の側板３１Ｂの外面に沿って底板３１Ａ側に延びる角筒状のシート取付壁３８と、底板３１Ａとは反対側に突出した角筒状のパネル配置部３７と、が設けられている。シート配置部３６の裏面には、光を反射する反射シート３９が取り付けられている。シート配置部３６には、光学シート３３のシート本体部３４の周縁部３４Ａのうち一対の長辺部分が配置される。パネル配置部３７には、図５に示すように、液晶パネル２０の周縁部２１が配置される。以下においてシート配置部３６のうちシート本体部３４の周縁部３４Ａが配置される面を配置面３６Ａという。
【００２７】
パネル配置部３７のうち一対の長辺側フレーム３２Ａを構成する長辺部分には、図３に示すように、所定の間隔を空けて複数の挿通部３７Ａが切り欠かれて設けられている。本実施形態では上側の長辺側フレーム３２Ａと下側の長辺側フレーム３２Ａとに、それぞれ３つの挿通部３７Ａがほぼ等間隔で配されている。挿通部３７Ａは、シート配置部３６の配置面３６Ａと面一をなす配置面３７Ｂを有しており、この配置面３７Ｂには位置決め片３５が配置される。本実施形態では、図６に示すように、パネル配置部３７の配置面３７Ｂは、突出端面よりもシート取付壁３８側に近い位置に形成され、突出端面とともに段差状をなしている。シート取付壁３８は、シャーシ３１の側板３１Ｂにおける外側面に宛がわれた状態で取り付けられている。シート取付壁３８の外側面には、図３および図５に示すように、位置決め突部３８Ａが側方に突出して設けられている。なお、シート本体部３４の周縁部３４Ａは、シート配置部３６と液晶パネル２０の周縁部２１との間に配置され、パネル配置部３７は、液晶パネル２０を光学シート３３から離間させるようにして液晶パネル２０の周縁部２１を支持するものとされている。
【００２８】
位置決め片３５は、図４に示すように、光学シート３３のシート本体部３４の周縁部３４Ａから離れる側に向かって幅広となる形状とされている。この位置決め片３５は、光学シート３３を構成する３枚のシート状部材３３Ａ、３３Ｂ、３３Ｃのそれぞれについて同じ位置、同じ形状、同じ大きさで設けられている。位置決め片３５は、図４に示すように、光学シート３３のシート本体部３４の周縁部３４Ａのうち長辺をなす上側の周縁部３４Ａに３つ設けられ、長辺をなす下側の周縁部３４Ａに３つ設けられている。
【００２９】
位置決め片３５は、シート本体部３４の周縁部３４Ａの一部から延びる幅狭部３５Ａと、幅狭部３５Ａよりも幅広に形成された幅広部３５Ｂとからなる。幅狭部３５Ａは、パネル配置部３７の挿通部３７Ａと対応する部位に設けられており、挿通部３７Ａの配置面３７Ｂによって幅狭部３５Ａが支持されている。また、幅広部３５Ｂは、挿通部３７Ａよりも幅広であり、光学シート３３をシート配置部３６に取り付ける際に、挿通部３７Ａに対して外周側から係止可能とされている。これにより、光学シート３３はフレーム３２に対して位置決めされる。
【００３０】
各幅狭部３５Ａには、幅狭部３５Ａをその厚み方向（Ｚ軸方向）に貫通する位置決め孔３５Ｃが設けられている。各位置決め孔３５Ｃは、平面視略方形状をなすものとされている。なお、位置決め孔３５Ｃについても、光学シート３３を構成する３枚のシート状部材３３Ａ、３３Ｂ、３３Ｃのそれぞれについて同じ位置、同じ形状、同じ大きさで設けられている。
【００３１】
位置決め片３５は、図４および図５に示すように、幅狭部３５Ａと幅広部３５Ｂの境界で略直角に折り曲げられるようになっている。これに伴って位置決め突部３８Ａは、図７に示すように、位置決め孔３５Ｃに貫通して配され、位置決め片３５がシート取付壁３８に固定される。すなわち、幅狭部３５Ａはシート本体部３４と同一平面をなすように配置され、幅広部３５Ｂは幅狭部３５Ａに対して直交する配置とされている。位置決め孔３５Ｃは位置決め突部３８Ａよりも大きいものとされ、位置決め孔３５Ｃの内周縁と位置決め突部３８Ａの外周面との間には所定のクリアランスが設定されている。このため、シート本体部３４のシート面方向（Ｘ−Ｙ平面方向）への移動を規制しつつも、シート本体部３４の伸縮に対応することができる。
【００３２】
続いて、バックライト装置３０の製造工程において、フレーム３２に設けられた各位置決め突部３８Ａに対して光学シート３３を係止させる手順について説明する。光学シート３３を各位置決め突部３８Ａに係止させる場合、光学シート３３のシート本体部３４の周縁部３４Ａをシート配置部３６の配置面３６Ａに配置する。このとき、位置決め片３５の各幅狭部３５Ａがパネル配置部３７の各挿通部３７Ａの配置面３７Ｂに配置されるようにして光学シート３３の位置決めを行う。引き続き、各位置決め片３５を直角に折り曲げて幅広部３５Ｂの位置決め孔３５Ｃに位置決め突部３８Ａを貫通させる。これにより、位置決め孔３５Ｃの内周縁を位置決め突部３８Ａに係止させることができ、光学シート３３をフレーム３２に対して位置決め状態で取り付けることができる。この後、液晶パネル２０の周縁部２１をパネル配置部３７の配置面３７Ｂに載せて水平姿勢で支持させる。ここで、液晶パネル２０は、挿通部３７Ａの位置で撓もうとするものの、挿通部３７Ａの大きさは幅狭部３５Ａを挿通させることができる最小限の大きさとされているため、液晶パネル２０の撓みを抑制することができ、フラットに保つことができる。
【００３３】
以上のように本実施形態では、位置決め片３５の幅狭部３５Ａをパネル配置部３７の挿通部３７Ａに挿通させて幅広部３５Ｂを支持部材（フレーム３２）に固定することにより、光学シート３３の周縁部３４Ａの一部を固定することができる。また、表示パネル（液晶パネル２０）をパネル配置部３７に配置した際に、挿通部３７Ａの位置においては表示パネルが支持されなくなるものの、挿通部３７Ａは位置決め片３５の幅狭部３５Ａを挿通させるだけの最小限の大きさで済むから、挿通部３７Ａを極力小さくすることができる。したがって、表示パネルが挿通部３７Ａの位置で撓みにくくなり、表示パネルをフラットに保つことができる。
【００３４】
また、本実施形態の液晶表示装置１０では、幅広部３５Ｂは、挿通部３７Ａよりも幅広である。このようにすると、幅広部３５Ｂを挿通部３７Ａに係止させることにより、光学シート３３をフレーム３２に位置決めすることができる。
【００３５】
また、本実施形態の液晶表示装置１０では、パネル配置部３７は支持部材（フレーム３２）の周縁部に沿って延びる形態とされており、幅狭部３５Ａはシート本体部３４と同一平面をなすように配置され、幅広部３５Ｂは幅狭部３５Ａに対して交差する配置とされている。このようにすると、幅広部３５Ｂが挿通部３７Ａから側方に突出しないため、液晶表示装置１０を小型化することができる。
【００３６】
また、本実施形態の液晶表示装置１０では、幅広部３５Ｂは位置決め孔３５Ｃを有しており、支持部材（フレーム３２）は位置決め孔３５Ｃに貫通して配される位置決め突部３８Ａを有している。このようにすると、位置決め孔３５Ｃに位置決め突部３８Ａを貫通させることにより、位置決め孔３５Ｃの内周縁を位置決め突部３８Ａに係止させることができる。
【００３７】
また、本実施形態の液晶表示装置１０では、位置決め突部３８Ａは支持部材の側面（シート取付壁３８）に配置されている。このようにすると、幅広部３５Ｂを幅狭部３５Ａに対して折り曲げることにより、光学シート３３をフレーム３２に取り付けることができる。
【００３８】
また、本実施形態の液晶表示装置１０では、位置決め孔３５Ｃは位置決め突部３８Ａよりも大きい。このようにすると、光学シート３３が伸縮した際に、位置決め孔３５Ｃを有する幅広部３５Ｂが位置決め突部３８Ａに対して相対的に移動することが許容される。
【００３９】
また、本実施形態の液晶表示装置１０では、シート本体部３４の周縁部３４Ａは、シート配置部３６と表示パネルの間に配置され、パネル配置部３７は、表示パネルを光学シート３３から離間させるようにして表示パネルの周縁部２１を支持する。このようにすると、表示パネルに押圧されて光学シート３３が撓むことを防止することができる。
【００４０】
＜他の実施形態＞
本発明は上記記述及び図面によって説明した実施形態に限定されるものではなく、例えば次のような実施形態も本発明の技術的範囲に含まれる。
【００４１】
（１）上記実施形態では、幅広部３５Ｂを幅狭部３５Ａに対して折り曲げたものを例示しているものの、幅広部３５Ｂを下方に折り曲げることなく幅狭部３５Ａと面一をなすようにそのまま側方に配置してもよい。
【００４２】
（２）上記実施形態では、幅広部３５Ｂが幅狭部３５Ａに対して直交する配置とされているものの、幅狭部３５Ａに対する幅広部３５Ｂの角度は必ずしも直角でなくてもよい。
【００４３】
（３）上記実施形態では、位置決め孔３５Ｃに位置決め突部３８Ａを貫通させているものの、位置決め孔と位置決め突部を設けなくてもよく、粘着テープ等を用いて幅広部をフレーム３２の側面に接着してもよい。
【００４４】
（４）上記実施形態では、位置決め突部３８Ａをシート取付壁３８に設けているものの、位置決め突部を設ける位置は挿通部３７Ａよりも外側の領域であれば他の位置でもよい。
【００４５】
（５）上記実施形態では、位置決め孔３５Ｃが位置決め突部３８Ａよりも大きいものとされているものの、位置決め孔を位置決め突部３８Ａとほぼ同じ大きさとしてもよい。
【００４６】
（６）上記実施形態では、液晶パネル２０が光学シート３３と離間して配されているものとしたが、液晶パネル２０を光学シート３３と接するように配してもよい。
【００４７】
（７）上記実施形態では、表示パネルとして液晶パネル２０を用いた液晶表示装置１０を例示したが、他の種類の表示パネルを用いた表示装置としてもよい。
【００４８】
（８）上記実施形態では、チューナーを備えたテレビ受信装置１０ＴＶを例示したが、チューナーを備えない表示装置としてもよい。
【００４９】
（９）上記実施形態では、エッジライト型のバックライト装置３０を例示したが、直下型のバックライト装置としてもよい。
【００５０】
（１０）上記実施形態以外にも、光学シート３３に設けられる位置決め孔３５Ｃの形状、配置、個数等については、適宜変更可能である。
【符号の説明】
【００５１】
１０…液晶表示装置  １０ＴＶ…テレビ受信装置  ２０…液晶パネル（表示パネル）  ２１…周縁部  ３０…バックライト装置  ３２…フレーム（支持部材）  ３３…光学シート  ３４…シート本体部  ３４Ａ…周縁部  ３５…位置決め片  ３５Ａ…幅狭部  ３５Ｂ…幅広部  ３６…シート配置部  ３７…パネル配置部  ３７Ａ…挿通部  ３８…シート取付壁（支持部材の側面）  ３８Ａ…位置決め突部  ５０…ＬＥＤユニット（光源）
【図１】
2019159072.tif 000003
【図２】
2019159072.tif 000004
【図３】
2019159072.tif 000005
【図４】
2019159072.tif 000006
【図５】
2019159072.tif 000007
【図６】
2019159072.tif 000008
【図７】
2019159072.tif 000009
【図８】
2019159072.tif 000010